(57)【要約】  粉砕装置共に使用されてよい、コーヒー豆などの材料を収容するための装置が開示されている。装置は、制御された量の材料を粉砕装置に向かって案内するための送り部材を有してよい。１つの実施の形態では、装置は、粉砕装置と係合するベース部分を備えた容器を有する。容器は、粉砕装置と係合させられると、コーヒー豆を粉砕装置に向かって送ることができ、制御された量の豆を放出するドアを有する。粉砕装置の内部部材に捕捉された過剰な粉砕物を粉砕装置から排出させるための可動な舌片を有してよい粉砕装置も開示されている。装置、システム及び方法は、材料を粉砕することに関連する労力を減じ、バリスタなどの使用者が、一杯分のコーヒーなどの抽出された飲料をより効率的に準備することを可能にする。
2014530684.tif 000002
【特許請求の範囲】
【請求項１】
材料を収容するための装置であって、
前記材料を収容するように構成された本体部分と、
該本体部分と係合するように構成されたベース部分とを備え、該ベース部分は、送り部材と、開口を形成した面とを含み、前記送り部材は、前記材料を前記開口に向かって案内するように構成されており、
前記ベース部分は、前記送り部材を作動させるために粉砕装置と係合するように構成されていることを特徴とする、材料を収容するための装置。
【請求項２】
前記材料は、コーヒー豆を含む、請求項１記載の装置。
【請求項３】
前記送り部材は、オーガを含む、請求項１記載の装置。
【請求項４】
前記ベース部分は、前記本体部分と一体である、請求項１記載の装置。
【請求項５】
前記ベース部分は、該ベース部分と前記本体部分とが互いに取り外されたときに別個の構成部材を成すように、前記本体部分に取外し可能に取り付けられるように構成されている、請求項１記載の装置。
【請求項６】
前記ベース部分は、前記送り部材を作動させるように構成されたアクチュエータを含む、請求項１記載の装置。
【請求項７】
前記ベース部分は、前記開口を覆うドアを含み、該ドアは、所望の量の材料を放出するために開放するように構成されている、請求項１記載の装置。
【請求項８】
前記ベース部分は、前記ドアと係合するように構成された斜面を含む、請求項７記載の装置。
【請求項９】
前記ベース部分は、前記ドアを閉鎖位置へ付勢するために前記斜面と係合するように構成されたばねを含む、請求項８記載の装置。
【請求項１０】
前記ベース部分は、前記斜面を収容するように構成された軌道を形成しており、前記斜面は、前記軌道に沿って線形に移動するように構成されている、請求項８記載の装置。
【請求項１１】
前記斜面は、前記開口に対してドアを開閉させるために前記粉砕装置の部材と係合するように構成されている、請求項８記載の装置。
【請求項１２】
システムであって、
材料を収容するように構成された本体部分と、該本体部分と係合するように構成されたベース部分とを含む容器を備え、前記ベース部分は、送り部材と、開口を形成した面とを含み、前記送り部材は、前記材料を前記開口に向かって案内するように構成されており、
前記送り部材を作動させるために前記容器と係合するように構成された粉砕装置であって、材料を粉砕するように構成された粉砕装置を備えることを特徴とする、システム。
【請求項１３】
前記材料は、コーヒー豆を含む、請求項１２記載のシステム。
【請求項１４】
前記送り部材は、オーガを含む、請求項１２記載のシステム。
【請求項１５】
前記容器の前記ベース部分は、前記容器の前記本体部分と一体である、請求項１２記載のシステム。
【請求項１６】
前記粉砕装置は、前記容器の前記ベース部分と係合するように構成された係合部分を含む、請求項１２記載のシステム。
【請求項１７】
前記ベース部分の開口は、第１の開口を含み、前記粉砕装置の係合部分は、材料を通過させるように構成された第２の開口を形成している、請求項１６記載のシステム。
【請求項１８】
前記容器の前記ベース部分は、前記第１の開口に対して開閉するように構成された第１のドアを含み、前記粉砕装置の前記係合部分は、前記第２の開口に対して開閉するように構成された第２のドアを含む、請求項１７記載のシステム。
【請求項１９】
前記容器の前記ベース部分は、前記第１の開口に対して開閉するように構成されたドアを含み、前記粉砕装置の前記係合部分は、所望の量の材料を放出するためにドアを開閉させるために前記容器の前記ベース部分と係合するように構成されたドア開放機構を含む、請求項１７記載のシステム。
【請求項２０】
前記ドア開放機構は、ピンを含む、請求項１９記載のシステム。
【請求項２１】
前記粉砕装置は、過剰な粉砕された材料を収集及び放出するように構成された可動な舌片を含む、請求項１２記載のシステム。
【請求項２２】
前記粉砕装置は、該粉砕装置に設けられた開口に対して線形経路に沿って前記舌片を前後に移動させるように構成されたアクチュエータを含む、請求項２１記載のシステム。
【請求項２３】
前記粉砕装置は、該粉砕装置に設けられた開口に対して回転経路に沿って前記舌片を移動させるように構成されたアクチュエータを含む、請求項２１記載のシステム。
【請求項２４】
粉砕された材料を受け取りかつ該粉砕された材料を使用して飲料を抽出するように構成された飲料抽出装置をさらに含む、請求項１２記載のシステム。
【請求項２５】
前記容器及び前記粉砕装置のうちの一方又は両方は、前記飲料抽出装置と通信するように構成されている、請求項２４記載のシステム。
【請求項２６】
前記材料はコーヒー豆を含み、前記飲料はコーヒーを含み、前記容器及び前記粉砕装置のうちの一方又は両方は、コーヒー豆の以下の特性、すなわち、豆の種類、豆の密度、及び粉砕サイズ、のうちの１つ以上に関する情報を飲料抽出装置に送信する、請求項２５記載のシステム。
【請求項２７】
装置であって、
材料を粉砕するための粉砕部材と、
該粉砕部材から粉砕された材料を受け取りかつ該粉砕された材料から前記装置から送り出すように構成された漏斗と、
該漏斗と連通した舌片であって、前記装置の内部部材に捕捉された過剰な粉砕された材料を前記装置から排出するために移動するように構成された舌片と、を備えることを特徴とする、装置。
【請求項２８】
前記装置に設けられた開口に関して線形経路に沿って前記舌片を前後に移動させるように構成されたアクチュエータをさらに含む、請求項２７記載の装置。
【発明の詳細な説明】
【技術分野】
【０００１】
分野
本開示は、概して、コーヒー豆などの材料を粉砕するための装置、及び材料を粉砕するためのシステム及び方法に関する。
【０００２】
背景
コーヒー飲料を準備する最初に、バリスタなどの使用者は、通常、はかりによって適切な量のコーヒー豆を計量し、次いで、豆を粉砕機へ投入し、豆を粉砕する。計量プロセスは複数の別個のステップを含み、ある状況においては、このプロセスは、完了するのに３０秒以上かかる場合があり、これは、多忙なコーヒーショップなどの迅速性が要求される環境においては比較的長い場合がある。さらに、様々な種類のコーヒー豆は、サイズ及び密度などの豆の物理的特性に関してばらつきがある場合があるので、このような計測プロセスは、粉砕すべきコーヒー豆の適切な量の不一致を生ずる場合がある。
【０００３】
粉砕プロセスが完了した後、完全な豆又は部分的に粉砕された豆が粉砕機に残っており、コーヒー粉砕物の残留物が機械の内部部材を覆う場合がある。バリスタは、通常、異なる種類のコーヒー豆を粉砕するために機械を使用する前に、粉砕機を清掃する。前記の状況及びその他の状況において粉砕機を保守することは、特に一杯分のコーヒーを粉砕して抽出する場合には、非効率でかつ面倒であり得る。
【０００４】
概要
１つの実施の形態は、材料を収容するための装置を提供する。装置は、材料を収容するように構成された本体部分と、本体部分と係合するように構成されたベース部分とを有する。ベース部分は、送り部材と、開口を形成した面とを有する。送り部材は、材料を開口に向かって案内するように構成されている。ベース部分は、送り部材を作動させるために粉砕装置と係合するように構成されている。
【０００５】
別の実施の形態では、容器及び粉砕装置を含むシステムが提供される。容器は、材料を収容するように構成された本体部分と、本体部分と係合するように構成されたベース部分とを有する。ベース部分は、送り部材と、開口を形成した面とを有する。送り部材は、材料を開口に向かって案内するように構成されている。粉砕装置は、送り部材を作動させかつ材料を粉砕するために容器と係合するように構成されている。
【０００６】
別の実施の形態では、材料を粉砕するための粉砕部材を含む装置が提供される。漏斗は、粉砕部材から粉砕された材料を受け取り、粉砕された材料を装置から送り出すように構成されている。装置は、漏斗と連通した舌片を有する。舌片は、装置の内部部材に捕捉された過剰な粉砕された材料を装置から出すために移動するように構成されている。
【０００７】
本開示の従来技術との区別を概説するために、装置、システム及び方法の幾つかの態様が上に説明されており、さらに以下で説明される。もちろん、必ずしも全てのこのような態様があらゆる特定の実施の形態に存在するわけではないことを理解すべきである。つまり、例えば、装置、システム及び方法は、本明細書において教示又は示唆されるのとは別の態様を必ずしも達成することなく、本明細書に教示されたような１つの態様又は態様のグループを達成又は最適化する形式において具体化又は実施されてもよいことを当業者は認識するであろう。これらの実施の形態の全てが、本明細書に開示された本開示の範囲に含まれることが意図されている。
【０００８】
図面の簡単な説明
開示された装置、システム及び方法のこれらの及びその他の特徴、態様及び利点をここで、添付の図面に示された実施の形態に関連して説明する。例示された実施の形態は、単に例であり、装置、システム及び方法を限定しようとするものではない。図面は以下の図面を含み、図面を以下のように簡単に説明することができる。
【図面の簡単な説明】
【０００９】
【図１】コーヒー豆などの材料を粉砕するためのシステムの１つの実施の形態の斜視図である。
【図２】図１に示されたシステムの分解斜視図である。
【図３】粉砕装置の係合部分の１つの実施の形態の後側斜視図である。
【図４】図３の係合部分の側面図である。
【図５】図３の係合部分の平面図である。
【図６】図１のシステムの舌片部分を例示する、図１のシステムの一部の正面図である。
【図７】材料を収容するための装置の１つの実施の形態の斜視図である。
【図８】図７の装置の平面図である。
【図９】図７の装置のベース部分の下側斜視図である。
【図１０Ａ】ドアが閉鎖位置において示された図７の装置の下面図である。
【図１０Ｂ】ドアが部分開放位置において示された図７の装置の下面図である。
【図１０Ｃ】ドアが開放位置において示された図７の装置の下面図である。
【図１１】本体部分とベース部分とが別個の部材である、材料を収容するための装置の１つの実施の形態の斜視図である。
【図１２】飲料抽出装置を含むシステムの１つの実施の形態である。
【００１０】
詳細な説明
コーヒー豆などの材料を粉砕するための慣用の装置及び方法は、特に少量の材料を粉砕する場合に非効率である。バリスタなどの使用者は、一杯分のコーヒーを熱心に推奨したくはないであろう。なぜならば、コーヒーを粉砕して抽出するプロセスは、複数のステップを含み、バリスタが比較的少量のコーヒー豆を計測し、計量し、粉砕機へ提供する時間を費やす必要があり得るからである。加えて、使用者は、様々な客に提供するために、異なる種類のコーヒーなどの、複数の種類の抽出された飲料を提供したい場合がある。しかしながら、一杯分のコーヒーを粉砕して抽出する場合、客が異なる種類のコーヒーを望むたびに粉砕機を清掃することは特に面倒である。その結果、一部の使用者は、客に提供されるコーヒーの種類を制限する。したがって、効率的かつ容易に使用又は実施される、材料を粉砕するための装置、システム及び方法が必要とされている。
【００１１】
ここに記載される実施の形態は、バリスタなどの使用者がコーヒー豆などの材料を効率的に粉砕することを可能にする装置、システム及び方法を提供する。例えば、開示された実施の形態は、粉砕機へのコーヒー豆の制御された計量供給を提供し、これにより、バリスタは、粉砕すべき適切な量又は用量を測定する時間又は労力を費やす必要がない。異なる種類のコーヒー豆は、通常、異なる豆サイズ及び密度を有する。装置、システム及び方法は、粉砕すべきコーヒー豆の種類を認識し、豆サイズ及び密度に適応して、適切な用量の豆を提供し、適切な時間だけ豆を粉砕し、これは、より一貫した粉砕プロセスを生じ得る。加えて、バリスタは、一回ごとの使用の間に粉砕機を清掃する時間及び労力を費やす必要なく、異なる種類のコーヒー豆を容易に使用し得る。これにより、バリスタは、客が注文したときに準備される一杯分のために多くの種類のコーヒーを提供することができる。開示される実施の形態は、飲料抽出装置と通信してもよく、材料の種類及び飲料のサイズに関する情報を送信及び／又は受信し、これにより、最小限の使用者入力を必要とし、材料を粉砕及び抽出するための効率的なシステムを提供する。
【００１２】
開示される実施の形態は、コーヒー豆を貯蔵するための容器を有するシステムを提供し、容器は、オーガなどの組込み型送り部材を有する。送り部材は、コーヒー豆を容器の開口に向かって案内する。容器は、所望の量のコーヒー豆を放出するためのドアを有してもよい。容器は、送り部材を作動させるために粉砕装置に取り付けられてもよい。例えば、粉砕装置は、容器のベース部分に埋め込まれたオーガを有してもよい。オーガは、制御された用量のコーヒー豆を開口から粉砕装置へ送ってよい。粉砕装置は次いで豆を粉砕してよい。粉砕プロセスが完了した後、容器は粉砕装置から取り外されてよい。このような実施の形態では、送り部材は、粉砕装置の代わりに、取外し可能な容器に配置されている。
【００１３】
実施の形態は、コーヒー豆を使用してコーヒー飲料を粉砕及び抽出するための装置、システム及び方法に関して以下で説明されるが、開示される実施の形態は、飲料を形成するために粉砕されかつ流体と混合されるその他の種類の材料を粉砕するために使用されてもよい。さらに、開示される装置、システム及び方法は、コーヒーハウス又はコーヒーショップなどの商業的場面において、又は使用者の家などの家庭的場面において使用又は採用されてよい。"使用者"という用語は、幾つかの実施の形態及び用途においてはバリスタを指してよいが、使用者は、マネージャ、被雇用者、客、顧客、同僚、家族、友人、知人などのその他の個人、又はあらゆるその他の個人を含んでもよい。幾つかの実施の形態では、使用者は、人の代わりに、又は人に加えて、機械を含んでもよい。
【００１４】
図１は、材料を粉砕するためのシステム１０を示す。システム１０は、粉砕装置若しくは粉砕機１００と、材料を収容するための装置、若しくは容器２００と、を含む。例示した実施の形態は、粉砕された材料を受け取るための材料ホルダ２０も示している。材料ホルダ２０は、ポアオーバ式（注ぎ込み式）飲料抽出機と併用される、図１に例示されたフィルタホルダ、又はあらゆるタイプの飲料抽出装置又は抽出機と併用される、粉砕された材料を収容するためのあらゆるその他の適切なホルダを含んでよい。容器２００は、粉砕装置１００にコーヒー豆の用量を提供するために粉砕装置１００と係合するように構成されている。
【００１５】
粉砕装置１００は、モータ及び粉砕ヘッドなどの、粉砕機の標準的な構成部材を含んでよい。多くの慣用の粉砕装置は、コーヒー豆を粉砕機の粉砕部材に向かって送るために、オーガなどの送り部材を有してもよい。開示されたシステム１０の幾つかの実施の形態では、粉砕装置１００は、材料を粉砕手段に向かって送るための送り部材を有さない。その代わりに、容器２００は、材料を容器の開口に向かって送る又は案内するための送り部材を含む。このような実施の形態では、システム１０は、慣用の粉砕システムよりも簡単に使用される。なぜならば、例えば、使用者は、一回ごとの使用の間に粉砕装置１００を清掃する必要がないからである。なぜならば、制御された用量のコーヒー豆が粉砕装置１００に提供され、これにより、粉砕装置１００における残されたコーヒー豆及び残留物を最小限に減じるからである。しかしながら、他の実施の形態では、粉砕装置１００及び容器２００の両方が、コーヒー豆を方向付けるための送り部材を有してもよい。粉砕装置１００は、異なるサイズのコーヒーカップに対応する様々な制御ボタンを備えた制御盤を有してよい。バリスタは、所望のコーヒーサイズに関する情報を伝達しかつ粉砕プロセスを開始するために特定の制御ボタンを選択してよい。
【００１６】
容器２００は、コーヒー豆を貯蔵するために使用されるあらゆる適切な容器又はキャニスタの特徴を有してよい。１つの実施の形態では、容器２００は、内部に貯蔵されたコーヒー豆の寿命及び鮮度を保つために閉鎖状態にあるときには実質的に気密である。容器２００は、異なるサイズ、形状及び密度を有する様々な異なる種類のコーヒー豆を貯蔵するように構成されていてよい。システム１００は、使用者が、粉砕装置１００と併用するために１つの容器を別の容器と交換するように、多くの異なる容器２００を使用してよい。このような実施の形態では、容器のモジュールとしての性質、及びその他の特徴により、使用者は、粉砕装置１００の最小限のメンテナンスで様々な異なる種類のコーヒー豆を効率的かつ容易に粉砕することができる。作動中、容器２００は、システム１０用のホッパとして機能するように働いてもよい。例えば、容器２００は、コーヒー豆を収容し、コーヒー豆を、コーヒー豆を粉砕するためのシステム１０の粉砕エレメントに提供することができる。
【００１７】
図２は、図１のシステムを分解した状態で示す。材料を収容するための装置２００は、粉砕装置１００から取り外されてよい。１つの実施の形態では、粉砕装置１００は、後側部分１１０と、前側部分１２０とを有する。前側部分１２０は、容器２００と係合するように構成された係合部分１３０を含んでよい。例示した実施の形態では、係合部分１３０は、容器２００の少なくとも一部を収容するように構成された開口１４０を形成している。粉砕装置１００は、粉砕装置１００に取外し可能に取り付けられてよいカバー１０４を有してもよい。カバー１０４は、粉砕装置１００の内部部材にアクセスするために取り外されてよい。
【００１８】
容器２００は、本体部分２２０と、ベース部分２３０とを含んでよい。幾つかの実施の形態では、ベース部分２３０が容器２００の本体部分２２０と一体であるように、ベース部分２３０は本体部分２２０と係合するように構成されている。他の実施の形態では、ベース部分２３０は、ベース部分２３０と本体部分２２０とが互いに取り外されたときに別個の構成部材を成すように、容器の本体部分に取外し可能に取り付けられるように構成されていてよい。このような構成の１つの実施の形態は、図１１に示されており、この図を参照して後で説明される。図２に例示したように、容器２００は、容器２００を閉鎖しかつシールするためにキャップ２１０を有してもよい。
【００１９】
容器２００は、内部に収容されたコーヒー豆についての識別情報を有してもよい。このような識別情報は、粉砕装置１００が特定の種類のコーヒーをどれだけ長く粉砕するかを決定することができるように、粉砕装置１００に送信されてよい。システム１００は、このような識別情報と、客が望むコーヒー分量のサイズとを飲料抽出装置へ送信してもよく、これにより、飲料抽出装置はコーヒーをどれだけ長く抽出するかを決定することができる。幾つかの実施の形態では、容器２００及び／又は粉砕装置１００は、このような識別情報を受信、記憶及び送信するための光学識別部材を有してよい。
【００２０】
材料ホルダ２０は、粉砕装置１００から取り外されてもよい。粉砕装置１００は、システム１０が材料を粉砕するために使用されているときに材料ホルダ２０を支持するための支持部材１０２を有してよい。コーヒー豆が粉砕されて材料ホルダ２０に収容された後、材料ホルダ２０は、粉砕装置１００の支持部材１０２から取り外され、コーヒーを抽出するために飲料抽出装置へ提供されてよい。
【００２１】
粉砕装置１００の実施の形態を図３〜図６を参照してさらに説明する。図３は、粉砕装置１００の係合部分１３０の後側斜視図を示す。図２に関して前述したように、粉砕装置１００は、後側部分１１０と、前側部分１２０とを含んでよい。前側部分１２０は、コーヒー豆の容器を収容するように構成された係合部分１３０を有する。
【００２２】
図３に戻ると、例示した実施の形態では、係合部分１３０は、第１の面１３２と、第２の面１３４とを含む。第２の面１３４は、第２の面１３４が第１の面１３２の上方に配置されるように、１つ以上の支持部材１３６によって第１の面１３２に取り付けられている。他の実施の形態では、第２の面１３４は、第１の面１３２の側方、前方、後方又は下方などの、第１の面１３２に関するその他の配置を有してもよい。第２の面１３４は、容器の少なくとも一部を収容するための開口１４０を形成していてよい。例示した実施の形態では、開口１４０は実質的に円形である。しかしながら、開口１４０は、実質的に矩形、三角形、卵形、又はだ円形を含むがこれらに限定されない、適切な容器を収容するためのその他の構成を形成していてもよい。開口１４０は、アクチュエータハウジングなどの容器２００の突出部を収容するように構成された凹部１４２を有してよい。容器２００のアクチュエータハウジング２３４は、図７に示されている。
【００２３】
引き続き図３を参照すると、係合部分１３０の第１の面１３２は、コーヒー豆が通過するための開口１５０を形成していてよい。漏斗１７０（図５及び図６に示されている）は、コーヒー豆を粉砕するために粉砕装置１００の粉砕手段へコーヒー粉砕物を供給するために、開口１５０に取り付けられてよい。第１の面１３２は、ドア開放機構１５２と、固定部材１５４とを有してもよい。固定部材１５４は、作動中に容器を粉砕装置１００に取り付けかつ固定するために容器と相互作用してよい。固定部材１５４は、作動中に容器が粉砕装置１００から取り外される危険性を低減する。固定部材１５４は、容器を検出するように構成されてよく、かつ安全手段を有してよく、粉砕装置１００は、容器の少なくとも一部が係合部分１３０に関して適切な位置に位置決めされたことを固定部材１５４が検出しない限り、作動しない。固定部材１５４は、容器が係合部分１３０から取り外されたときに検出してもよく、容器が取り外されたときに粉砕装置１００を作動停止させてよい。
【００２４】
１つの実施の形態では、固定部材１５４は、磁石を含む。他の実施の形態では、固定部材は、容器のベース部分に配置された磁石と係合するように構成されたエレメントを含む。固定部材１５４は、容器と係合するソレノイドインターロック、又は容器におけるソレノイドインターロックと相互作用するエレメントを含んでもよい。粉砕プロセスが完了すると、使用者が容器を粉砕装置１００から取り外すことができるように、固定部材１５４は解放してよい。固定部材１５４は、コーヒー豆の容器を検出及び固定するためのホール効果センサを含んでもよい。固定部材１５４は、光学センサを含んでもよい。幾つかの実施の形態では、固定部材１５４は、容器の一部に係合するアンダカット又はロックを含むがこれらに限定されない１つ以上の機械的なインタロックを含んでもよい。
【００２５】
ドア開放機構１５２は、容器２００と係合するように構成されており、容器２００に設けられたドア２６０（図９及び図１０Ａ〜図１０Ｃに示されている）を開閉させ、粉砕された材料を容器２００から放出させる。幾つかの実施の形態では、ドア開放機構１５２は、可動なピンを含む。ピン１５２は、係合部分１３０の第１の面１３２に対して昇降してよい。１つの構成では、容器が係合部分１３０に結合されたときにピン１５２が容器から解離させられるように、ピン１５２の前端部は第１の面１３２と実質的に同一平面を成していてよい。別の構成では、容器２００に設けられたドア２６０を開放させるために容器に係合するように、ピン１５２の前端部は第１の面１３２から外方へ突出していてよい。ピン１５２の移動は、粉砕装置１００によって自動的に制御されてよく、粉砕されるコーヒー豆の種類及び／又は使用者が望むコーヒー分量のサイズに依存する。ピン１５２は、ソレノイドを使用することによる自動作動を含むがこれに限定されない様々な方式で作動させられてよい。
【００２６】
幾つかの実施の形態では、ピン１５２は、第１の面１３２に対して移動しない剛性の部材を含んでよい。このような実施の形態では、容器が粉砕装置１００の係合部分１３０と係合させられたときに容器のドア（図９及び図１０Ａ〜図１０Ｂに示されている）を開放させ、かつドア２６０を開放させておくように、ピン１５２は容器２００と係合してよい。このような実施の形態では、オーガなどの送り部材２４４は、開口を通過して粉砕装置１００内へ排出されるコーヒー豆の量を制御及び制限する。図７〜図９は、容器２００、送り部材２４４、及びドア２６０の実施の形態を示している。様々な受動的アクチュエータ、受動的プッシャ、ピボット片、及びソレノイドなどのその他の適切なドア開放機構１５２が使用されてもよい。
【００２７】
幾つかの実施の形態では、ソレノイドは、ピン１５２を作動させ、ピン１５２を容器２００内にロックし、作動中に容器２００が粉砕装置１００から取り外されないことを保証する。このような実施の形態では、ソレノイド作動式ピンの使用による粉砕装置１００への容器２００の固定が、固定部材１５４の代わりに用いられてよい。他の実施の形態では、システム１０は、ソレノイド作動式ピンと、固定部材１５４との両方を有してもよい。
【００２８】
図３を参照すると、係合部分１３０は、アクチュエータ部分１６０を有してよい。１つの実施の形態では、アクチュエータ部分１６０は、容器のアクチュエータと係合し、容器の送り部材を作動させ、所望の量のコーヒー豆を容器の開口に向かって案内するように構成されている。係合部分１３０のアクチュエータ部分１６０は、第１の歯車１６４と、第２の歯車１６２と含んでよい。第１の歯車１６４は、粉砕装置１００のモータと接続されている。第２の歯車１６２は、第１の歯車１６４と噛み合うように構成されている。作動中、モータは第１の歯車１６４を作動させてよい。次いで、第１の歯車１６４は、第２の歯車１６２を、中心の枢軸点に関して回転させる。
【００２９】
図４は、粉砕装置１００の係合部分１３０の側面図を示す。例示した実施の形態では、ドア開放機構１５２は、第１の面１３２から上方へ突出しかつ延びている。第１の面１３２と第２の面１３４との間の距離は、粉砕装置１００と係合するように構成された容器２００の部分の高さと同じであってよい。
【００３０】
図５は、係合部分１３０の平面図を示す。開口１５０に関連した周縁エッジは、漏斗１７０に連結し、コーヒー豆を収集し、コーヒー豆を粉砕装置１００の粉砕部材へ供給する。ドア開放機構１５２は、図５においては開口１５０の右下の部分の近くに示されている。しかしながら、ドア開放機構１５２は、第１の面１３２の他の位置に位置決めされていてもよい。係合部分１３０は、２つ以上のドア開放機構１５２を含んでもよい。例えば、第２のドア開放機構が、開口１５０の反対側に配置されていて、容器２００のベース部分２３０と係合するように構成されていてもよい。
【００３１】
図６は、粉砕装置１００からの過剰な粉砕されたコーヒーの収集及び放出を促進するための静電気防止舌片を有する粉砕装置１００の１つの実施の形態を示す。静電気は、コーヒー粉砕物を、材料ホルダ又はコーヒーフィルタへ排出させる代わりに、粉砕機の内部の構成部材に付着させやすい。可動な静電気防止舌片の開示された実施の形態は、この問題を解決するように設計されている。
【００３２】
図６に示すように、粉砕装置１００の前側部分１２０は、漏斗１７０を含んでよい。幾つかの実施の形態では、漏斗１７０は、粉砕装置１００の係合部分１３０に間接的又は直接的に取り付けられている。漏斗１７０は、その下端部においてシュート１２４に接続されている。粉砕装置１００の粉砕ヘッド１１２の一部が、漏斗１７０とシュート１２４との間において図６に示されている。粉砕ヘッド１１２は、コーヒー豆を粉砕するように構成された慣用の粉砕部材を含んでよい。舌片１１３は、シュート１２４と係合していてよい。幾つかの実施の形態では、舌片１１３は、スロット１１６を形成した支持部材１１５と、アクチュエータ１１７と、舌片１１４に取り付けられたロッド１１８とを含む。ロッド１１８は、スロット１１６に嵌合するように構成されていてよい。
【００３３】
図６に示したような第１の位置では、舌片１１４は、シュート１２４の一部の内部に構成されており、比較的コンパクトなスペースに集まりかつシュートをより均一に流過するようにコーヒー粉砕物を送る。アクチュエータ１１７は、ロッド１１８がスロット１１６内で線形に移動するようにロッド１１８を作動させてよい。幾つかの実施の形態では、アクチュエータ１１７は、ソレノイドを含む。ロッド１１８がスロット１１６においてアクチュエータ１１７に向かって並進すると、舌片１１４も、シュート１２４及び開口１２６を通る粉砕物の実質的に均一な流れを促進するように、並進してよい。ロッド１１８及び舌片１１４は、それぞれスロット１１６及び開口１２６に対して前後に移動する。このような移動は、フィルタの上側などの粉砕装置１０の内部部材に捕捉された過剰な粉砕物をシュート１２４から排出させてよい。このような移動により、舌片１１４は、シュートの内側に集まる残りのコーヒー粉砕物の静電気をも低減し、これにより、残りのコーヒー粉砕物が粉砕装置１００から排出されてよい。上で説明したように、例示した実施の形態において、アクチュエータ１１７は、線形の経路に沿って舌片１１４を移動させるように構成されている。しかしながら、他の実施の形態では、アクチュエータ１１７は、回転経路などのその他の経路形状に沿って舌片を移動させてもよい。アクチュエータ１１７は、ソレノイドを含んでよい。幾つかの実施の形態では、舌片１１４は、フレキシブルであってよく、コーヒー粉砕物が蓄積すると下方へ曲がってもよい。舌片１１４は、ばねとして作用してもよい、ゲートバルブとして機能してもよい及び／又は一方の側から片持ちされたプレートとして機能してもよい。
【００３４】
幾つかの実施の形態では、粉砕装置１００が停止させられた後、舌片１１４が開口１２６から引き出されてよい。しかしながら、舌片１１４の移動が、粉砕装置１００の内部に捕捉された過剰な粉砕物を取り除く又は叩き落とすように、粉砕部材がまだ回転又は移動している間に舌片１１４が引き出されてもよい。舌片１１４は、衝撃力によって作動させられてもよく、この衝撃力が過剰な粉砕物をさらに取り除く又は除去する。舌片１１４は、このような衝撃力によって作動させられた後、ハードストップに接触してよい。幾つかの実施の形態では、粉砕装置１００が停止させられた後、及び粉砕部材が回転又はその他の移動を停止させた後、舌片１１４が粉砕装置１００から引き出されてもよい。他の実施の形態では、粉砕装置１００がまだ作動させられている間に、舌片１１４が粉砕装置１００から引き出されてもよい。
【００３５】
図７〜図１０を参照して、材料を収容するための装置若しくは容器２００の実施の形態を説明する。容器２００は、本体部分２２０と、本体部分２２０に取り付けられたベース部分２３０とを有する。本体部分２２０は、第１の端部２２２と、その反対側の第２の端部２２４と、端部２２２，２２４の間に配置された中央部分２２６とを有する。第１の端部２２２は、容器２００における開口２２８を形成している。開口２２８から、使用者は、コーヒー豆を容器２００に投入したり、コーヒー豆を容器２００から取り出したりすることができる。幾つかの実施の形態では、開口２２８から、使用者は、容器２００の内部部材にアクセスすることができ、これらの部材を維持管理及び清掃することができる。容器２００は、本体部分２２０の第１の端部２２２と係合するように構成されたキャップ２１０を有してよく、このキャップは、容器２００を周囲の環境から実質的にシールする。ベース部分２３０は、本体部分２２０の第２の端部２２４に一体に取り付けられていてよい。例示した実施の形態は、実質的に円筒状の容器２００を示しているが、容器２００は、様々な構成、形状及び寸法を含んでよい。
【００３６】
容器２００のベース部分２３０は、粉砕装置１００の係合部分１３０と係合するように構成されていてよい。例示された実施の形態のベース部分２３０は、粉砕装置１００の係合部分１３０の開口１４０にはまる外面２３２を有する。ベース部分２３０の外面２３２は、アクチュエータ２３６を収容するように構成されたアクチュエータハウジング２３４を有してよい。例示された実施の形態では、アクチュエータ２３６は、歯車を含む。幾つかの実施の形態では、アクチュエータ２３６は、摩擦車、歯付ベルト、及び／又はタイミングベルトを含んでよい。
【００３７】
幾つかの実施の形態では、ベース部分２３０は、このベース部分２３０を粉砕装置１００の係合部分１３０に確実に取り付けるために粉砕装置１００の固定部材１５４と係合するように構成されたソレノイド及び／又は磁石を有してもよい。例えば、磁石により、粉砕装置１００は、ベース部分２３０が粉砕装置１００と係合させられたことを検出してよい。幾つかの実施の形態では、粉砕装置は、ベース部分２３０の磁石を検出するまで作動しなくてよく、これにより、システム１００を作動させるときに使用者に対する安全性を高める。
【００３８】
ベース部分２３０は、容器２００内に配置されたコーヒー豆を支持及び収容することを助けるための支持部材２４０を有してもよい。１つの実施の形態では、支持部材は、送り部材２４４を収容しかつ送り部材２４４用の凹所を提供するように構成されたチャネル２４２を形成している。送り部材２４４は、ベース部分２３０のアクチュエータ２３６に直接的又は間接的に結合されていてよい。アクチュエータ２３６によって作動させられると、送り部材２４４は中心軸線を中心にして回転してよく、ベース部分２３０の底面２５２に設けられた開口２５４に向かってコーヒー豆を案内する。開口２５４は図９に示されている。例示した実施の形態では、送り部材２４４は、オーガを含む。幾つかの実施の形態では、送り部材２４４は、コンベヤベルト及び／又は羽根車を含む。
【００３９】
送り部材２４４がオーガを含む幾つかの実施の形態では、システム１０は、粉砕プロセスが完了するたびオーガが実質的に同じ位置で停止するように、オーガのピッチを制御するように構成されていてよい。そうすることは、容器１００から放出されるコーヒー豆の量の一貫性を高め得る。オーガが異なる向きで停止すると、ある向きにおいては、他の向きにおけるよりも多い豆又は少ない豆が捕捉される場合があるので、放出されるコーヒー豆の量のばらつきが生じる場合がある。例えば、オーガのピッチを検出し、毎回使用後に実質的に同じ位置にオーガを位置決めすることを容易にするため、エンコーダが使用されてもよい。
【００４０】
ベース部分２３０は、プレート２４６を有してもよい。図８に例示したように、プレート２４６は、送り部材２４４の先端部の近くで支持部材２４０の一部分の上に、かつベース部分２３０の底面に設けられた開口の上に配置されていてよい。プレート２４６は、コーヒー粉砕物が開口に向かって送られるようにバリヤを提供することによって、底面に設けられた開口を通じて粉砕コーヒーを排出することを補助してもよい。プレート２４６は、送り部材２４４の先端部と、使用者が手を配置し得る容器における開放したスペースとの間にバリヤを提供することにより、安全機能を提供してもよい。幾つかの実施の形態において、プレート２４６は、送り部材２４４が作動させられてコーヒー豆を送っているときに送り部材２４４への意図しないアクセスを妨げるように、支持部材２４０を実質的に覆っていてもよい。
【００４１】
図９を参照すると、ベース部分２３０の下端部２５０の実施の形態が示されている。下端部２５０は、底面２５２と、ドア２６０とを含んでよい。底面２５２は、コーヒー粉砕物を通過させるように構成された開口２５４を形成している。閉鎖状態にある場合、ドア２６０は、底面２５２に設けられた開口２５４を実質的に覆っている。ドア２６０は、開口２５４を覆うように構成された突出部２６２と、突出部２６２に取り付けられ、底面２５２の一部に沿って延びたプレート２６４とを有してよい。プレートは、第１のアーム２６６と、第２のアーム２６８とを有してよい。第１のアーム２６６及び第２のアーム２６８は、それぞれ第１の傾斜部材２７０及び第２の傾斜部材２７２に取り付けられていてよい。底面２５２は、傾斜部材２７０，２７２を収容するように構成された第１の軌道２８０及び第２の軌道２８２を形成している。軌道は、第１のばね２９０及び第２のばね２９２を有してもよい。ばね２９０，２９２は、図１０Ａ〜図１０Ｃに例示されている。例示した実施の形態では、ばね２９０，２９２は、アクチュエータハウジング２３４の近くで端部２５０の側部に配置されている。
【００４２】
図９に戻ると、底部２５０は、底面２５２に取り付けられた係合プレート２１２を有してもよい。係合プレート２１２は、ドア２６０を保護しかつ覆うようにドア２６０の部分の上に位置し、さらに、ドア２６０を底面２５２及び係合プレート２１２に対して移動させる。例示した実施の形態では、係合プレート２１２は、第１のスロット２１４及び第２のスロット２１６を形成している。第１のスロット２１４は、底面２５２の第１の軌道２８０と実質的に同じ形状であってよい開口を含む。同様に、第２のスロット２１６は、第２の軌道２８２と実質的に同じ形状であってよい開口からを含む。スロット２１４，２１６は、軌道２８０，２８２及びそこに収容された部材、例えば、アーム２６６，２６８、斜面２７０，２７２、及びばね２９０，２９２にアクセスするための開口を提供する。スロット２１４，２１６は、アーム２６６，２６８及び斜面２７０，２７２が底面２５２に対して移動することも可能にする。幾つかの実施の形態では、係合プレート２１２は、粉砕装置１００の係合部分１３０と係合するように構成されている。
【００４３】
図１０Ａ〜図１０Ｃは、ベース部分２３０の開口２５４に対して異なる状態で示されたドア２６０の実施の形態を示す。図１０Ａは、ドア２５４が閉鎖状態にあるときの実施の形態を示す。図１０Ｂは、部分的に開放した状態のドアを示す。図１０Ｃは、完全に開放した状態のドアを示す。図９及び図１０Ａ〜図１０Ｃは、２つの軌道、スロット、アーム、斜面及びばねを有するベース部分２３０の実施の形態を示しているが、ベース部分２３０の他の実施の形態は、１つのみの軌道、スロット、アーム、斜面及びばねを有してもよい。加えて、ベース部分２３０の他の実施の形態は、３つ以上の軌道、スロット、アーム、斜面及びばねを有してもよい。さらに、ベース部分２３０の他の実施の形態は、軌道、スロット、アーム、斜面及びばねの全てではなく、それらの幾つかを有してもよい。ベース部分２３０の他の実施の形態は、斜面を用いずにドア２６０を線形に並進させるための構造を有してもよい。例えば、幾つかの実施の形態では、ドア２６０は、ソレノイドなどのトランスデューサによって作動させられてよい。さらに、ベース部分２３０の他の実施の形態は、線形の並進とは別に、又は線形の並進に加えて、ドア２６０を移動させるためのその他の構成、例えば、開口２５４に対してドア２６０を回転させるための構造を提供する構成を有してもよい。したがって、ドア２６０、及びドア２６０を移動させるための構造の多くのバリエーション及び変更が、ここで開示された実施の形態に対してなされてもよいことが理解されるべきである。
【００４４】
図１０Ａを参照すると、ドア２６０は閉鎖位置で示されている。ドア２６０の突出部２６２は、この突出部２６２が開口２５４を実質的に覆うように、底面２５２に設けられた開口２５４にわたって延びている。幾つかの実施の形態では、突出部２６２は、ドアが閉鎖位置にあるときに開口２５４を完全に覆っていなくてもよい。第１の斜面部材２７０は第１の前縁２７１を含み、第２の斜面部材２７２は第２の前縁２７３を含む。ドア２６０が閉鎖状態にあるとき、第１の前縁２７１は第１の軌道２８０の第１の近位端部２８１の近くに配置されており、第２の前縁２７３は第２の軌道２８２の第２の近位端部２８３の近くに配置されている。第１のばね２９０及び第２のばね２９２はそれぞれ休止位置にある。このような位置では、ばね２９０，２９２はアーム２６６，２６８及び斜面部材２７０，２７２と係合し、ドア２６０を開口２５４に対して閉鎖位置に付勢している。
【００４５】
図１０Ｂでは、ドア２６０は、底面２５２の後側部分２９４に向かって線形に並進させられている。後側部分２９４は、開口２５４から離れた底面２５２の部分に配置されている。例示した実施の形態では、後側部分２９４はアクチュエータハウジング２３４の近くに配置されている。特に、斜面部材２７０，２７２の前縁２７１，２７３は、軌道２８０，２８２の近位端部２８１，２８３から離れるように並進させられている。並進は、１つ以上のドア開放機構１５２を斜面部材２７０，２７２のうちの１つ以上と係合させることによって生じてよい。第１のアーム２６６は第１の後縁２６７を含み、第２のアーム２６８は第２の後縁２６９を含む。加えて、第１の軌道２８０は第１の遠位端部２９１を含んでよく、第２の軌道２８２は第２の遠位端部２９３を含んでよい。ドア２６０を開放する際、アーム２６６，２６８の後縁２６７，２６９はそれぞれ軌道２８０，２８２の遠位端部２９１，２９３に向かって線形に並進してよい。ばね２９０，２９２は、ドア２６０のこのような線形の並進を提供するために圧縮してよい。
【００４６】
図１０Ｃは、開放位置におけるドア２６０を示す。このような状態では、アーム２６６，２６８の後縁２６７，２６９がそれぞれ軌道２８０，２８２の遠位端部２９１，２９３の近くに配置されるように、ばね２９０，２９２は完全に圧縮されていてよい。斜面部材２７０，２７２の前縁２７１，２７３は底面２５２の後側部分２９４に向かってさらに並進させられているので、今では各軌道２８０，２８２のより大きな部分が下面図において見えている。この状態では、開口は好適には、制御された用量のコーヒー豆を容器２００のベース部分２３０から排出させる。ドア２６０と係合した状態からドア開放機構１５２を解放させることによって、ドア２６０は閉じてよい。このような状態では、ばね２９０，２９２は、蓄えられた潜在的エネルギを放出し、アーム２６６，２６８に力を加え、ドア２６０を後側部分２９４から底面２５２の前側部分２９５に向かって線形に並進させ、開口２５４を閉鎖する。
【００４７】
材料を粉砕するためのシステム１０の幾つかの実施の形態では、システム１０の装置は、２つ以上のドアを含んでよい。例えば、容器２００が第１のドアを含み、粉砕装置１００が第２のドアを含んでもよい。容器２００の第１のドアは、上述のドア２６０と同様に機能してよい。例えば、容器２００の第１のドアは、粉砕装置１００に所望の量のコーヒー豆を放出するために開閉してよい。粉砕装置１００の第２のドアは、システム１００の高められた安全特性を促進するために、粉砕装置１００の内部部材へのアクセスを妨げるために機能してよい。例えば、粉砕装置１００の第２のドアは、粉砕装置が使用されていないときに使用者が粉砕装置１００の内部部材にアクセスすることを妨げてよい。加えて、第２のドアは、ほこりが粉砕装置１００に進入するのを妨げてよく、これにより、コーヒーを粉砕及び抽出するためのシステムの高められた健康的かつ衛生的な条件を促進する。
【００４８】
幾つかの実施の形態では、第１のドア及び第２のドアはそれぞれ、ソレノイドなどのトランスデューサによって作動させられてよい。ソレノイドは、第１のドア及び第２のドアを作動させるピンに係合してよい。第１のドア及び第２のドアは、図７〜図１０に関連して例示及び上述したように、ピン１５２が容器２００のドア２６０を作動させる形式と同様に、ピンによって作動させられてもよい。他の実施の形態では、第１のドア及び第２のドアは、剛性又は可動なピンとトランスデューサとの組合せにより作動させられてもよい。
【００４９】
図１１は、容器４００の本体部分４２０及びベース部分４３０が別個の部材から成る、容器４００の実施の形態を例示している。幾つかの実施の形態では、本体部分４２０は、図１〜図１０に関連して上述した容器２００の本体部分２２０の実施の形態と実質的に同じ構造のものであってよい。同様に、幾つかの実施の形態では、ベース部分４３０は、図１〜図１０に関連して上述したベース部分２３０の実施の形態と実質的に同じ構造のものであってよい。しかしながら、図１１に例示した実施の形態では、本体部分４２０が第１の合致部分４０２を有し、ベース部分４３０が、対応する第２の合致部分４０４を有してもよい。第１の合致部分４０２は、本体部分４２０を容器４００のベース部分４３０に取り付けるために第２の合致部分４０４と係合するように構成されていてよい。第１の合致部分４０２は、本体部分４２０をベース部分４３０から取り外すために第２の合致部分４０４から解離するように構成されていてもよい。したがって、ベース部分４３０は、ベース部分４３０と本体部分４４０とが互いに取り外されたときに別個の構成部材を成すように、本体部分４２０に取外し可能に取り付けられるように構成されていてよい。
【００５０】
幾つかの実施の形態では、合致部分４０２，４０４は、ねじ山付き部材を含む。このような構成では、ねじ山付き部材を合致させ、本体部分４２０を長手方向軸線を中心にしてベース部分４３０に対して回転させることによって、本外部分４２０はベース部分４３０に取り付けられてよい。本体部分４２０をベース部分４３０に取外し可能に取り付けるために他の構造が用いられてもよい。例えば、このような結合は、対応するピン及びスロット、対応するタブ及び凹所、及び／又は接着剤などの構造によって行われてもよい。容器４００を別個の本体部分４２０及びベース部分４３０として提供することにより、バリスタは、例えば、１つのベース部分４３０を用いて、異なる種類のコーヒー豆を収容した複数の本体部分４２０を使用してよい。
【００５１】
図１２は、材料を粉砕するためのシステム５００の実施の形態を示しており、システム５００は飲料抽出装置を含む。システム５００は、粉砕装置６００、材料を収容するための装置若しくは容器７００、及び飲料抽出装置８００を含んでよい。粉砕装置６００及び容器７００は、上述のような粉砕装置１００及び容器２００，４００の実施の形態と同じものであってよい。飲料抽出装置８００は、１杯以上のコーヒーを抽出するために粉砕装置６００及び／又は容器７００からコーヒー粉砕物を受け取るように構成されていてよい。
【００５２】
粉砕装置６００は制御盤６１０を有してよく、容器７００は制御盤７１０を有してよく、飲料抽出装置８００は制御盤８１０を有してよく、これにより、粉砕装置６００、容器７００及び飲料抽出装置のいずれか又は全ては互いに通信することができる。粉砕装置６００、容器７００及び飲料抽出装置８００は、コーヒー豆の種類、豆の密度、豆のサイズ、所望のコーヒー分量のサイズ（例えばスモール、ミディアム、ラージ、エクストララージ、トール、グランデ、ベンティなど）などの情報を通信してよい。粉砕及び抽出プロセスが容易かつ効率的に用いられるように、その他の情報が通信されてもよい。複数のプラットフォーム間の通信は、ワイヤレス、イーサネット、シリアル、ＺｉｇＢｅｅを含むがこれらに限定されない様々な方式によって行われてよい。粉砕装置６００、容器７００及び飲料抽出装置８００間の通信は、有利には、二重の情報が入力される必要がないように、使用者がシステム内の特定の装置に入力する情報を最小限に減じる。１つの実施の形態では、飲料抽出装置８００は、スターバックス(R)店舗において現在利用されているクローバー(R)抽出システムを含む。クローバー(R)抽出システムの実施の形態は、２０１０年３月９日に発行された、"Machine for Brewing a Beverage Such as Coffee and Related Method"という名称の米国特許第７６７３５５５号明細書に例示及び記載されており、その内容全体は引用したことにより本明細書に組み込まれる。
【００５３】
ここで説明されかつ添付の図面に示された、材料を収容するための装置及び粉砕装置の実施の形態を用いて材料を粉砕するために、様々な方法が用いられてよい。例えば、容器及び粉砕装置は、コーヒーショップなどの商業的な場面において使用されてよい。コーヒーショップは、５つ以上などの複数の容器を有してよく、そのそれぞれが異なる種類のコーヒー豆を貯蔵している。例えば、客は、特定の種類のコーヒーのミディアムサイズのカップを注文してよい。客が注文した後、バリスタは、コーヒー豆の適切な容器を選択し、続いて容器を粉砕装置の係合部分に配置してよい。
【００５４】
このような例において、粉砕装置は制御盤を有してよく、この制御盤においてバリスタはミディアムサイズのカップのコーヒーに対応する制御を選択する。粉砕装置は、容器内のコーヒー豆の種類を認識し、モータを作動させ、コーヒー豆の種類及びコーヒーカップの所望のサイズに対応する適切な規定された時間にわたってアクチュエータを駆動するようにプログラムされている。モータは、コーヒー豆の種類及びコーヒーの所望の分量を認識し、次いで、コーヒーを粉砕するために好適な速度で適切な時間だけ作動する。粉砕装置のアクチュエータは、作動させられ、容器のベース部分におけるアクチュエータと係合する。次いで、容器のベース部分におけるアクチュエータは、コーヒー豆をベース部分に設けられた開口に向かって送るために、オーガなどの送り部材を駆動する。粉砕装置の係合部分のドア開放機構は、容器のドアと係合する。次いで、ドアは開放してよく、容器及び係合部分における開口を通じて所望の量のコーヒー豆を放出する。次いで、粉砕装置はコーヒー豆を粉砕し、粉砕物を、コーヒーフィルタホルダなどの材料ホルダへ排出する。粉砕装置の係合部分における固定機構は、容器のベース部分と相互作用してよく、これにより、粉砕装置が作動させられるときに容器を粉砕装置に確実に取り付ける。
【００５５】
このような例において、所望の量のコーヒー豆が粉砕されて材料ホルダへ移送されると、粉砕装置のモータが作動停止して、アクチュエータ、送り部材、及び粉砕装置の粉砕手段を停止させる。ドア開放機構も、ドアから解離して、容器のベース部分の底面における開口に対してドアを閉鎖する。材料ホルダが、粉砕されたコーヒーを受け取った後、バリスタは、一杯のコーヒーを抽出するために、粉砕されたコーヒーを飲料抽出装置へ移送してよい。バリスタは、粉砕装置から容器を取り外してもよい。客が異なる種類のコーヒーを注文すると、バリスタは、異なる種類のコーヒー豆を保持した異なる容器を使用してこのプロセスを繰り返してよい。有利には、幾つかの実施の形態では、バリスタは、一回の使用ごとに粉砕装置を清掃したり、一杯の抽出のために使用される特定の量のコーヒー豆を計量したりする時間及び労力を費やす必要がない。
【００５６】
特に、"することができる"、"してもよい"などの条件的な用語は、特にそうでないことが述べられない限り又は用いられる文脈において別の理解がなされない限り、概して、ある実施の形態が、ある特徴、要素及び／又はステップを含むが、他の実施の形態は含まないことを示唆しようとするものである。つまり、このような条件的な用語は、概して、特徴、エレメント及び／又はステップが、１つ以上の実施の形態のために多少なりとも必要とされることを暗示しようとするものではない。
【００５７】
多くのバリエーション及び変更が、ここに開示された実施の形態に対してなされてもよく、そのエレメントは、他の許容できる実施例のうちの１つであると理解すべきであることが強調されるべきである。例えば、ここに開示された幾つかの実施の形態では、取外し可能な容器は、組込み型送り部材を有し、粉砕装置は、コーヒー豆を粉砕するための粉砕手段を有する。しかしながら、他の実施の形態では、粉砕装置は、粉砕装置の代わりに、又は粉砕装置に加えて、組込み型粉砕手段を有してもよく、容器は、粉砕装置へ、又は材料ホルダへ直接的に、粉砕されたコーヒーの制御された用量を提供するためにドアを有してよい。加えて、幾つかの実施の形態では、粉砕装置は、容器の代わりに又は容器に加えて送り部材を有してもよい。例えば、粉砕装置は、１つ以上のオーガを有してもよい。したがって、開示された装置、システム及び方法の変化態様を形成するために、開示された実施の形態の様々な特徴及び態様を別の特徴及び態様と組み合わせるか又は別の特徴及び態様に代えることができる。全てのこのような変更及びバリエーションは、個々に開示された実施の形態の範囲に含まれかつ該当することが意図されている。
【図１】
2014530684.tif 000003
【図２】
2014530684.tif 000004
【図３】
2014530684.tif 000005
【図４】
2014530684.tif 000006
【図５】
2014530684.tif 000007
【図６】
2014530684.tif 000008
【図７】
2014530684.tif 000009
【図８】
2014530684.tif 000010
【図９】
2014530684.tif 000011
【図１０Ａ】
2014530684.tif 000012
【図１０Ｂ】
2014530684.tif 000013
【図１０Ｃ】
2014530684.tif 000014
【図１１】
2014530684.tif 000015
【図１２】
2014530684.tif 000016
【国際調査報告】
2014530684.tif 000017
2014530684.tif 000018
2014530684.tif 000019
2014530684.tif 000020
2014530684.tif 000021